(57)【要約】【課題】シュリンクラベルが装着された壜体からなり、開栓時における液面上昇の発生が防止された包装容器を提供する。【解決手段】包装容器は、胴部に、フラットなパネル面を有する１個又は複数個のパネル部を備え、パネル部は、パネル面を横断し、パネル面の左右両端部から弧状に張り出た形状のリブを１個又は複数個備え、該リブはパネル部全体の面積の５〜６０％を占め、リブの高さは壜体の外周からパネル面までの深さの１０〜１５０％である合成樹脂製壜体からなり、該合成樹脂製壜体の外周にはパネル部を覆ってシュリンクラベルが装着されている。【選択図】  図２
2005008157.tif 000002
【特許請求の範囲】
【請求項１】
胴部に、フラットなパネル面を有する１個又は複数個のパネル部を備え、パネル部は、パネル面を横断し、パネル面の左右両端部から弧状に張り出た形状のリブを１個又は複数個備え、該リブはパネル部全体の面積の５〜６０％を占め、リブの高さは壜体の外周からパネル面までの深さの１０〜１５０％である合成樹脂製壜体からなり、該合成樹脂製壜体の外周にはパネル部を覆ってシュリンクラベルが装着されていることを特徴とする包装容器。
【発明の詳細な説明】
【０００１】
【発明の属する技術分野】
本発明は、減圧パネルを有するポリエステル製壜等の合成樹脂壜に関する。
【０００２】
【従来の技術】
従来、壜体の内部の減圧又は加圧に耐えるように例えば図１に例示するように壜体の胴部１にパネル部２を設けた壜体が使用されている。
【０００３】
また、壜体の胴部にはラベルが装着されることがある。そしてラベルとして熱収縮性のラベルを用いた場合、ラベルの収縮力によりラベルを装着した面が容器内方へ加圧され、開栓したとき、その外力のために液体内容物が壜口から押し出され、液体内容物が零れることがある。
【０００４】
特許文献１に減圧パネルを有する角形パネルにシュリンクラベルを装着すると、熱収縮時にシュリンクラベルが減圧パネルの凹部底面を押圧する結果、ボトルの蓋を開けたとき内容物の液面が上昇したり内容物が漏れ出るという問題があり、これを解決するために、特定の熱収縮性を有するポリエステル製シュリンクラベル（９０℃で１０秒処理したときの熱収縮率が一方向Ｘにおいて４０〜８０％であるポリエステル製シュリンクラベルであって、９０℃で１０秒処理したときの前記方向Ｘの最大処理能力が１０ＭＰａを超えないことを特徴とする減圧パネル付き角形プラスチックボトル用シュリンクラベル）を用いることにより、減圧パネルを有する角形ボトルに減圧パネルを覆って装着しても、開栓時に内容物の液面が上昇したり内容物が零れたりすることを防止できることが記載されている。しかし、この防止方法は前記したような特定の熱収縮性を有するポリエステル製シュリンクラベルによらなければならず、通常使用されているシュリンクラベルでは防止効果は奏せられないという欠点がある。
【０００５】
【特許文献１】
特開２００１−３４１７７３号公報（段落［０００１］〜［０００２］及び［０００６］）
【０００６】
【発明が解決しようとする課題】
本発明の目的は、シュリンクラベルが装着された壜体からなり、開栓時における液面上昇の発生が防止された包装容器を提供することである。
【０００７】
【課題を解決するための手段】
請求項１に記載の発明は、上記の課題を解決するもので、胴部に、フラットなパネル面を有する１個又は複数個のパネル部を備え、パネル部は、パネル面を横断して、パネル面の左右両端部から弧状に張り出た形状のリブを１個又は複数個備え、該リブはパネル部全体の面積の５〜６０％を占め、リブの高さは胴部の外周からパネル面までの深さの１０〜１５０％である合成樹脂製壜体からなり、該合成樹脂製壜体の外周にはパネル部を覆ってシュリンクラベルが装着されていることを特徴とする包装容器を要旨とする。
【０００８】
本発明の包装容器において、パネル部は、パネル面を横断して、パネル面の左右両端部から弧状に張り出た形状のリブを１個又は複数個備え、該リブはパネル部全体の面積の５〜６０％を占め、且つ胴部の外周からパネル面までの深さの１０〜１５０％の高さを有するので、高まった容器内部の圧力を受けて、パネル面は外側に凸状に移動しやすく、それによって容器内部の圧力が軽減されるのみならずリブがパネル面を更に外方向に移動させるため内圧がより軽減される。それ故、本発明によれば、シュリンクラベルの収縮力によりシュリンクラベルを装着した面が容器内方へ加圧され、開栓時に、容器壁が内方へ押圧されて液体内容物が壜口から押し出され、零れるという問題は解消される。
【０００９】
リブの占有面積率が５％より小さいと、シュリンクフィルムがパネル面を容器内方へ押圧する度合いが強まるので好ましくない。一方リブの占有面積率が６０％を超えるとシュリンクフィルムがリブを容器内方へ押圧する度合いが強まり好ましくない。パネル面が高まった容器内部の圧力を受けて外側に凸状に移動して容器内部の圧力が軽減されるのみならずリブがパネル面を更に外方向に移動させるため容器内圧がより軽減される効果が良好に奏せられる望ましい占有面積率の範囲は１０〜４０％である。
【００１０】
またリブの高さ率は１０％より小さいと、シュリンクフィルムのパネル面への密着を妨げるリブの効果が薄れ、シュリンクフィルムがパネル面を容器内方へ押圧する度合いが強まるので好ましくない。また１５０％を超えるとリブの突出によってシュリンクラベルの外観が損なわれるので好ましくない。リブの高さ率は、シュリンクフィルムのパネル面への密着を妨げるリブの効果を奏し、且つシュリンクフィルムの外観を損なわない５０〜１００％が望ましい。
【００１１】
【発明の実施の形態】
図２は本発明の包装容器を構成する合成樹脂製壜体を示し、（Ａ）は側面図、（Ｂ）は図２（Ａ）図示のＡ−Ａ線矢視断面図であり、（Ｃ）は図２（Ａ）図示のＢ−Ｂ線矢視断面図である。
【００１２】
本発明の包装容器を構成する合成樹脂製壜体は、ポリエチレンテレフタレート、ポリプロピレン等の二軸延伸吹込成形体からなり、壜体の胴部１に、フラットなパネル面３を有する１個又は複数個のパネル部４を備える。パネル面３は傾斜面又は湾曲面からなるパネル周辺部４ａを介して胴部１に接続されている。パネル部４は、パネル面３を横断し、パネル面３の左右両端部から弧状に張り出た形状のリブ５を１個又は複数個備える。リブ５は、図２（Ｃ）に示すように、縦断面が台形状の中空リブでパネル部４全体の面積の５〜６０％を占め、リブ５の高さは壜体の胴部１の面からパネル面３までの深さの１０〜１５０％に形成されている。
【００１３】
ここにおいて、リブ５の縦方向長さをｌ１、ｌ２とし、パネル部４の縦方向長さをＬとすると、
リブ５の占有面積率＝（ｌ１＋ｌ２）／Ｌ×１００％で表され、また
壜体の胴部１からパネル面３までの深さをｄ、リブ３の高さをｄ１とすると、
リブ３の高さ率＝ｄ１／ｄ×１００％で表される。
【００１４】
図３は、図２に示す壜体にシュリンクラベル６を装着し本発明の包装容器を形成した状態を示す説明図である。
【００１５】
本発明の包装容器において、パネル部４は、パネル面３を横断して、パネル面３の左右両端部から弧状に張り出た形状のリブ５を１個又は複数個備え、リブ５はパネル部４全体の面積の５〜６０％を占め、且つ壜体の胴部１の面からパネル面２までの深さｄの１０〜１５０％の高さｄ１を有するので、高まった容器内部の圧力を受けて、図４に示すようにパネル面４は外側に凸状に移動しやすく、それによって容器内部の圧力が軽減されるのみならずリブ５がパネル面４を更に外方向に移動させるため内圧がより軽減される。それ故、本発明によれば、シュリンクラベル６の収縮力によりシュリンクラベル６を装着した面が容器内方へ加圧され、開栓時に、容器壁が内方へ押圧されて液体内容物が壜口から押し出され、零れる問題は解消される。
【００１６】
リブ５の占有面積率が５％より小さいと、シュリンクフィルム６がパネル面３を容器内方へ押圧する度合いが強まるので好ましくない。一方リブ５の占有面積率が６０％を超えるとシュリンクフィルム６がリブ５を容器内方へ押圧する度合いが強まり好ましくない。パネル面３が高まった容器内部の圧力を受けて外側に凸状に移動して容器内部の圧力が軽減されるのみならずリブ５がパネル面３を更に外方向に移動させるため容器内圧がより軽減される効果が良好に奏せられる望ましい占有面積率の範囲は１０〜４０％である。
【００１７】
またリブ５の高さ率は１０％より小さいと、シュリンクフィルム６のパネル面３への密着を妨げるリブ５の効果が薄れ、シュリンクフィルム６がパネル面３を容器内方へ押圧する度合いが強まるので好ましくない。また１５０％を超えるとリブ５の突出によってシュリンクラベル６の外観が損なわれるので好ましくない。リブ５の高さ率は、シュリンクフィルム６のパネル面３への密着を妨げるリブ５の効果を奏し、且つシュリンクフィルム６の外観を損なわない５０〜１００％が望ましい。
【００１８】
また図２に示す実施の形態は丸筒形壜体であるが、本発明はこれに限定されることなく例えば角形ボトルと称される多角形壜体にも適用し得るものである。
【００１９】
【実施例】
（実施例）
図２に示すような、壜体胴部に、フラットなパネル面を有する複数個のパネル部を備え、パネル部は、パネル面を横断して、パネル面の左右両端部から弧状に張り出た形状のリブを２個備え、これらのリブはパネル部全体の面積の３０％を占め、リブの高さは壜体の外周からパネル面までの深さの５０％である合成樹脂製壜体からなるポリエチレンテレフタレート製二軸延伸吹込成形壜体を用意した。この壜内に水を満注充填し、キャッピングしたものの胴部に、ラベルとして厚さ４５μｍの東洋紡（株）製ポリエステル系フィルム（Ｓ７５４２）を巻き付けた。そして、スチームトンネル（温度９０℃）を通過させて前記フィルムを熱収縮させて、シュリンクラベルを壜体の胴部に取り付けた。
【００２０】
この液体内容物入り壜体を冷蔵庫で５℃で３日間保存した後、取り出して開栓し、このときの液面の移動を目視観察した。その結果液面が下降し、液漏れの問題はないことがわかった。
【００２１】
（比較例）
図１に示すような壜体の胴部１にパネル部２を設けた従来型のポリエチレンテレフタレート製二軸延伸吹込成形壜体を用意した。この壜内に水を満注充填し、キャッピングしたものの胴部に、ラベルとして厚さ４５μｍの東洋紡（株）製ポリエステル系フィルム（Ｓ７５４２）を巻き付けた。そして、スチームトンネル（温度９０℃）を通過させて前記フィルムを熱収縮させてシュリンクラベルを壜体の胴部に取り付けた。
【００２２】
この液体内容物入り壜体を冷蔵庫で５℃で３日間保存した後、取り出して開栓し、このときの液面の移動を目視観察した。その結果液面が上昇し、液漏れが発生することがわかった。
【００２３】
【発明の効果】
以上詳細に説明したように、本発明の包装容器は、胴部に、フラットなパネル面を有する１個又は複数個のパネル部を備え、パネル部は、パネル面を横断し、パネル面の左右両端部から弧状に張り出た形状のリブを１個又は複数個備え、該リブはパネル部全体の面積の５〜６０％を占め、リブの高さは胴部の外周からパネル面までの深さの１０〜１５０％である合成樹脂製壜体からなり、該合成樹脂製壜体の外周にはパネル部を覆ってシュリンクラベルが装着されていることを特徴とし、高まった容器内部の圧力を受けて、パネル面は外側に凸状に移動しやすく、それによって容器内部の圧力が軽減されるのみならずリブがパネル面を更に外方向に移動させるため内圧がより軽減されるので、開栓時に液面が上昇して液体内容物が零れるという問題は起こらないという利点を有する。
【図面の簡単な説明】
【図１】従来のパネル部付き壜体を示し（Ａ）は側面図、（Ｂ）は図１（Ａ）図示のＡ−Ａ線矢視略断面図である。
【図２】本発明の包装容器を構成する合成樹脂製壜体を示し、（Ａ）は側面図、（Ｂ）は図２（Ａ）図示のＡ−Ａ線矢視断面図であり、（Ｃ）は図２（Ａ）図示のＢ−Ｂ線矢視断面図である。
【図３】図２に示す壜体にシュリンクフィルムを装着してなる本発明の包装容器の側面図の説明図である。
【図４】パネル面が容器内圧に応じて凸状に移動し、リブ３がパネル面４を更に外方向に移動させることを示す説明図である。
【符号の説明】
１          胴部
２          パネル部
３          パネル面
４          パネル部
４ａ        パネル周辺部
５          リブ
６          シュリンクラベル
ｌ１、ｌ２    リブの縦方向長さ
Ｌ          パネル部の縦方向長さ
ｄ          胴部１の面からパネル面３までの深さ
ｄ１        リブの高さ
【図１】
2005008157.tif 000003
【図２】
2005008157.tif 000004
【図３】
2005008157.tif 000005
【図４】
2005008157.tif 000006